(57)【要約】【課題】本発明は、学習試験サービスを放送番組により実現でき、受験者の誤った問題の解答について補習番組の放送を行うことのできる試験問題包含番組送信方法、試験問題包含番組送信装置および試験問題包含番組送信プログラムおよび試験問題包含番組受信方法、試験問題包含番組受信装置および試験問題包含番組受信プログラムを提供する。【解決手段】本発明に係る学習試験問題包含番組受信装置は、採点データに基づいて、蓄積手段に蓄積されている補習番組の中から、誤答した学習試験問題の正解データおよび解説データを選択し、この選択した正解データおよび解説データを提示手段によって提示することにより、受験者が既に習得済みの正答部分に対応する補習番組を省略して受験者の学習を効率的に進めさせることができる。【選択図】  図３
2004163794.tif 000002
【特許請求の範囲】
【請求項１】
放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信装置であって、
前記放送局から送信された前記学習試験問題包含番組、前記補習番組および前記採点データを受信する受信手段と、
前記受信手段によって受信した前記学習試験問題包含番組、前記補習番組および前記採点データを蓄積する蓄積手段と、
前記蓄積手段によって蓄積した前記学習試験問題包含番組、前記補習番組および採点データを提示する提示手段と、
前記提示手段によって提示した前記学習試験問題包含番組の学習試験問題の解答を入力する入力手段と、
前記学習試験問題を解答する受験者が入力した前記学習試験問題の解答に基づいて解答データを作成する解答データ作成手段と、
前記解答データ作成手段によって作成した前記解答データを送信する送信手段と、
を備えていることを特徴とする学習試験問題包含番組受信装置。
【請求項２】
放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信装置であって、
前記放送局から送信された前記学習試験問題包含番組、前記補習番組および採点データを受信する受信手段と、
前記受信手段によって受信した前記学習試験問題包含番組、前記補習番組および前記採点データを蓄積する蓄積手段と、
前記蓄積手段によって蓄積した前記受信手段によって受信した前記学習試験問題包含番組、前記補習番組および採点データを提示する提示手段と、
前記提示手段によって提示した前記学習試験問題包含番組の学習試験問題の解答を入力する入力手段と、
前記学習試験問題を解答する受験者が入力した前記学習試験問題の解答に基づいて解答データを作成する解答データ作成手段と、
前記解答データ作成手段によって作成した前記解答データを送信する送信手段と、
前記補習番組には学習試験問題番号に対応する識別子が付されており、放送局側にて前記解答データの正誤が採点された採点データに基づいて、前記蓄積手段に蓄積されている前記補習番組の中から、誤答した学習試験問題番号のみに関する正解データおよび解説データを選択して前記補習番組の提示を制御する補習番組提示制御機能を有する制御手段と、
を備えていることを特徴とする学習試験問題包含番組受信装置。
【請求項３】
前記制御手段における補習番組提示制御機能は、前記受験者の任意の選択によって、前記蓄積手段に蓄積されている前記補習番組中から任意に選択された正解データおよび解説データまたは全ての正解データおよび解説データを提示するように制御する機能を含むこと、
を特徴とする請求項２記載の学習試験問題包含番組受信装置。
【請求項４】
前記制御手段は、前記放送局側にて送信した前記学習試験問題包含番組の中から、前記受験者が任意に選択した学習試験問題を提示するように制御する学習試験番組提示制御機能および前記受験者が前記学習試験問題の解答に要する時間または着手している時間を制御する学習試験時間計測制御機能を備えていること、
を特徴とする請求項２または３記載の学習試験問題包含番組受信装置。
【請求項５】
放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信装置であって、
前記放送局から送信された前記学習試験問題包含番組、補習番組および採点データを受信する受信手段と、
前記受信手段によって受信した前記学習試験問題包含番組、前記解答データ作成手段によって作成した前記解答データおよび前記採点データに基づいて、前記補習番組の中から、受験者が誤答した学習試験問題番号のみに関する正解データおよび採点データが、選択されてなる選択補習番組が放送局側によって送信され、この送信された選択補習番組を蓄積する蓄積手段と、
前記蓄積手段によって蓄積した前記学習試験問題包含番組、前記選択補習番組および前記採点データを提示する提示手段と、
前記提示手段によって提示された前記学習試験問題包含番組の学習試験問題の解答を入力する入力手段と、
前記学習試験問題を解答する受験者が入力した前記学習試験問題の解答に基づいて解答データを作成すると解答データ作成手段と、
前記解答データ作成手段によって作成した前記解答データを送信する送信手段と、
前記放送局側にて送信した前記学習試験問題包含番組の中から、受験者が任意に選択した学習試験問題を提示するように制御する学習試験番組提示制御機能および前記受験者が前記学習試験問題の解答に要する時間または着手している時間を制御する学習試験時間計測制御機能を有する制御手段と、
を備えることを特徴とする学習試験問題包含番組受信装置。
【請求項６】
放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信方法であって、
前記放送局から送信された前記学習試験問題包含番組、前記補習番組および採点データを受信する受信ステップと、
前記受信ステップにおいて受信した前記学習試験問題包含番組、前記補習番組および前記採点データを蓄積する蓄積ステップと、
前記蓄積ステップにおいて蓄積した前記学習試験問題包含番組、前記補習番組および採点データを提示する提示ステップと、
前記提示ステップにおいて提示した前記学習試験問題包含番組の学習試験問題の解答を入力する入力ステップと、
前記学習試験問題を解答する受験者が入力した前記学習試験問題の解答に基づいて解答データを作成する解答データ作成ステップと、
前記解答データ作成ステップにおいて作成した前記解答データを送信する送信ステップと、
前記補習番組には学習試験問題番号に対応する識別子が付されており、放送局側にて前記解答データの正誤が採点された前記採点データに基づいて、前記蓄積手段に蓄積されている前記補習番組の中から、誤答した学習試験問題番号のみに関する正解データおよび解説データを選択して前記補習番組の提示を制御する制御ステップと、
を有することを特徴とする学習試験問題包含番組受信方法。
【請求項７】
放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信装置を、
前記放送局から送信された前記学習試験問題包含番組、前記補習番組および採点データを受信する受信手段、
前記受信手段によって受信した前記学習試験問題包含番組、前記補習番組および前記採点データを蓄積する蓄積手段、
前記蓄積手段によって蓄積した前記学習試験問題包含番組、前記補習番組および採点データを提示する提示手段、
前記提示手段によって提示した前記学習試験問題包含番組の学習試験問題の解答を入力する入力手段、
前記学習試験問題を解答する受験者が入力した前記学習試験問題の解答である解答データを作成すると解答データ作成手段、
前記解答データ作成手段によって作成した前記解答データを送信する送信手段、
前記補習番組には学習試験問題番号に対応する識別子が付されており、放送局側にて前記解答データの正誤が採点された採点データに基づいて、前記蓄積手段に蓄積されている前記補習番組の中から、誤答した学習試験問題番号のみに関する正解データおよび解説データを選択して前記補習番組の提示を制御する補習番組提示制御機能を有する制御手段、
として機能させることを特徴とする学習試験問題包含番組受信プログラム。
【請求項８】
放送局の番組内で学習試験問題を扱う学習試験問題包含番組を当該学習試験問題を解答する受験者が使用する端末に送信し、前記受験者が前記端末に入力した前記学習試験問題の解答に基づいて作成した解答データを受信した後に、前記学習試験問題の正解に基づいて作成した正解データおよび前記学習試験問題の正解を解説した解説データを包含してなる番組である補習番組を送信する学習試験問題包含番組送信装置であって、
前記学習試験問題包含番組と、前記補習番組と、前記解答データおよび正解データを比較して当該解答データの正誤を採点した採点データとを送信する送信手段と、
この送信手段によって送信した前記学習試験問題包含番組の学習試験問題を解答する前記受験者が入力した前記解答データを受信する受信手段と、
この受信手段によって受信した解答データと、前記学習試験問題の正解である正解データとを比較して、当該解答データの正誤を採点した採点データを得る採点データ作成手段と、
この採点データ作成手段によって作成した前記採点データと、前記正解データおよび解説データからなる補習番組とを作成する補習番組作成手段と、
を備えることを特徴とする学習試験問題包含番組送信装置。
【請求項９】
放送局の番組内で学習試験問題を扱う学習試験問題包含番組を当該学習試験問題を解答する受験者が使用する端末に送信する学習試験問題包含番組送信装置であって、
前記学習試験問題包含番組の学習試験問題を解答する前記受験者が前記端末に入力した前記学習試験問題の解答に基づいて作成した解答データを受信する受信手段と、
この受信手段によって受信した解答データおよび前記学習試験問題の正解である正解データを比較して、当該解答データの正誤を採点した採点データを作成する採点データ作成手段と、
この採点データ作成手段にて作成した採点データに基づいて、前記学習試験問題の正解データおよび前記学習試験問題の正解を解説した解説データからなる補習番組の中から、前記受験者が誤答した学習試験問題の前記正解データおよび前記解説データを選択して作成する選択補習番組作成手段と、
前記学習試験問題包含番組および前記選択補習番組作成手段によって作成した選択補習番組を送信する送信手段と、
を備えることを特徴とする学習試験問題包含番組送信装置。
【請求項１０】
放送局の番組内で学習試験問題を扱う学習試験問題包含番組を当該学習試験問題を解答する受験者が使用する端末に送信し、前記受験者が前記端末に入力した前記学習試験問題の解答に基づいて作成した解答データを受信した後に、前記学習試験問題の正解である正解データおよび前記学習試験問題の正解を解説した解説データを包含してなる番組である補習番組を送信する学習試験問題包含番組送信方法であって、
前記学習試験問題包含番組の学習試験問題を解答する前記受験者が入力した前記解答データを受信する受信ステップと、
この受信手段によって受信した解答データおよび前記学習試験問題の正解である正解データを比較して、当該解答データの正誤を採点した採点データを作成する採点データ作成ステップと、
この採点データ作成ステップによって作成した採点データと前記正解データおよび解説データからなる補習番組を作成する補習番組作成ステップと、
前記学習試験問題包含番組と、前記補習番組作成ステップによって作成した前記補習番組と、前記採点データ作成ステップによって作成した前記採点データとを送信する送信ステップと、
を有することを特徴とする学習試験問題包含番組送信方法。
【請求項１１】
放送局の番組内で学習試験問題を扱う学習試験問題包含番組を当該学習試験問題を解答する受験者が使用する端末に送信し、前記受験者が前記端末に入力した前記学習試験問題の解答に基づいて作成した解答データを受信した後に、前記学習試験問題の正解である正解データおよび前記学習試験問題の正解を解説した解説データを包含してなる番組である補習番組を送信する学習試験問題包含番組送信装置を、
前記学習試験問題包含番組と、前記補習番組と、前記解答データおよび正解データを比較して、当該解答データの正誤を採点した採点データとを送信する送信手段、
前記学習試験問題包含番組の学習試験問題を解答する前記受験者が入力した前記解答データを受信する受信手段、
この受信手段によって受信した解答データおよび前記学習試験問題の正解である正解データを比較して、当該解答データの正誤を採点した採点データを作成する採点データ作成手段、
この採点データ作成手段によって作成した採点データと前記正解データおよび解説データからなる補習番組を作成する補習番組作成手段、
として機能させることを特徴とする学習試験問題包含番組送信プログラム。
【発明の詳細な説明】
【０００１】
【発明の属する技術分野】
本発明は、学習試験を放送番組として放送し、解答の回収、学習試験の採点および補習番組を受験者（視聴者）に提供するための学習試験問題包含番組受信装置、学習試験問題包含番組受信方法および学習試験問題包含番組受信プログラムならびに学習試験問題包含番組送信装置、学習試験問題包含番組送信方法および学習試験問題包含番組送信プログラムに関する。
【０００２】
【従来の技術】
従来、各種の教育放送が行われているにも拘らず、放送番組において、学習試験を行うサービス（以下、学習試験サービスという）は実現されていなかった。その理由は、学習試験の採点、平均点・成績順位等の統計情報の作成、答案作成、回収等のノウハウが確立されていなかったため、学習試験番組の放送をすることが困難であったからである。
【０００３】
一方、インターネットなどの公衆回線を利用した学習試験サービスに関しては、学習試験サービスセンターが受験者の端末装置に学習試験問題のデータを配信して、受験者の学習試験問題に対する解答データを回収して、解答データに基づいた採点処理、及び解答データを用いた統計処理を行い、採点処理結果及び統計処理結果を学習試験結果と共に受験者に返送するものがあった（例えば、特許文献１参照）。
また、インターネットを利用した学習試験サービスとして、インターネット試験センターにおいて、学習試験問題を、受験者各人に配信して、受験者各人は配信された学習試験問題をダウンロードして、ダウンロードされた学習試験問題を解答した答案を解答データとして、インターネット試験センターへアップロードするとともに、学習試験問題の正誤判定と採点結果とを受けて確認して、さらにインターネット試験センターが採点集計結果及び学習試験問題の答案の解説を返送するものがあった（例えば、特許文献２参照）。
【０００４】
【特許文献１】
特開２００１−３１２２０４号公報（第３〜４頁、図１）
【特許文献２】
特開２００１−２９６７９１号公報（第２〜３頁、図１）
【０００５】
【発明が解決しようとする課題】
しかしながら、従来技術について、インターネットを利用した学習試験サービスに関しては、学習試験問題を受験者に配信して、受験者の解答を回収して採点し、全ての問題に係る解説、試験結果の統計までの学習試験サービスは行われていたものの、全ての問題について解答の解説を行う形式となっていたので、既に理解している問題の解説を含めて視聴しなければならないという不都合がある。そのため、より効率的な学習試験サービスの提供が求められている。
【０００６】
また、放送番組を利用した学習に関するサービスについては、各種の教育放送が行われているに止まっており、放送による学習試験サービスの提供は実現されていないため、放送した各種の教育番組がどの程度理解され、学習されているのかを学習試験サービスを行うことによって把握する必要性が求められている。
【０００７】
そこで本発明の目的は前記した従来の技術が有する課題を解消し、学習試験サービスを放送番組によって実現し、受験者の誤った解答について補習番組の放送などを行うことのできる学習試験問題包含番組送信方法、学習試験問題包含番組送信装置および学習試験問題包含番組送信プログラムならびに学習試験問題包含番組受信方法、学習試験問題包含番組受信装置および学習試験問題包含番組受信プログラムを提供することにある。
【０００８】
【課題を解決するための手段】
本発明は、前記した目的を達成するため、以下に示す構成とした。
請求項１に係る学習試験問題包含番組受信装置は、放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信装置であって、前記放送局から送信された前記学習試験問題包含番組、前記補習番組および前記採点データを受信する受信手段と、前記受信手段によって受信した前記学習試験問題包含番組、前記補習番組および前記採点データを蓄積する蓄積手段と、前記蓄積手段によって蓄積した前記学習試験問題包含番組、前記補習番組および採点データを提示する提示手段と、前記提示手段によって提示した前記学習試験問題包含番組の学習試験問題の解答を入力する入力手段と、前記学習試験問題を解答する受験者が入力した前記学習試験問題の解答に基づいて解答データを作成する解答データ作成手段と、前記解答データ作成手段によって作成した前記解答データを送信する送信手段と、を備えていることを特徴とする。
【０００９】
かかる学習試験問題包含番組受信装置によって、放送局が送信した学習試験問題包含番組の学習試験問題を受験者が解答して入力した解答データを送信し、当該学習試験問題に関する採点データと、補習番組とを学習試験問題包含番組送信装置から受信して蓄積手段に蓄積される。そのため学習試験問題包含番組に係る学習試験問題の正解データおよび解説データが全て提示される。
【００１０】
請求項２に記載の学習試験問題包含番組受信装置は、放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信装置であって、
前記放送局から送信された前記学習試験問題包含番組、前記補習番組および前記採点データを受信する受信手段と、前記受信手段によって受信した前記学習試験問題包含番組、前記補習番組および前記採点データを蓄積する蓄積手段と、前記蓄積手段によって蓄積した前記学習試験問題包含番組、前記補習番組および採点データを提示する提示手段と、前記提示手段によって提示した前記学習試験問題包含番組の学習試験問題の解答を入力する入力手段と、前記学習試験問題を解答する受験者が入力した前記学習試験問題の解答に基づいて解答データを作成する解答データ作成手段と、前記解答データ作成手段によって作成した前記解答データを送信する送信手段と、を備えていることを特徴とする。
【００１１】
かかる学習試験問題包含番組受信装置によって、放送局が送信した学習試験問題包含番組の学習試験問題を受験者が解答して入力した解答データを送信し、当該学習試験問題に関する採点データ、補習番組を一括して学習試験問題包含番組送信装置から受信して蓄積手段に蓄積される。そして補習番組提示制御機能で受験者が誤答した学習試験問題の正解データおよび解説データのみを選択して提示される。
【００１２】
請求項３に記載の学習試験問題包含番組受信装置は、前記制御手段における補習番組提示制御機能は、受験者の任意の選択によって、前記蓄積手段に蓄積されている前記補習番組中から任意に選択された正解データおよび解説データまたは全ての正解データおよび解説データを提示するように制御する機能を含むこと、を特徴とする。
【００１３】
かかる学習試験問題包含番組受信装置によって、学習試験問題包含番組送信装置から一括して受信して蓄積手段に蓄積した当該学習試験問題に関する補習番組について、補習番組提示制御機能で受験者の自由意思に応じて学習試験問題の正解データおよび解説データを選択して提示される。
【００１４】
請求項４に記載の学習試験問題包含番組受信装置は、前記制御手段は、前記放送局側にて送信した前記学習試験問題包含番組の中から、受験者が任意に選択した学習試験問題を提示するように制御する学習試験番組提示制御機能および前記受験者が前記学習試験問題の解答に要する時間または着手している時間を制御する学習試験時間計測制御機能を備えていること、を特徴とする。
【００１５】
かかる学習試験問題包含番組受信装置により、学習試験番組提示制御機能は、学習試験問題包含番組に係る学習試験問題を受験者が選択して当該受信装置に提示させ、学習試験時間計測制御機能は、受験者が当該学習試験問題の解答に要する時間を制御する。
【００１６】
請求項５に記載の学習試験問題包含番組受信装置は、放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信装置であって、
前記放送局から送信された前記学習試験問題包含番組、補習番組および採点データを受信する受信手段と、前記受信手段によって受信した前記学習試験問題包含番組、前記解答データ作成手段によって作成した前記解答データおよび前記採点データに基づいて、前記補習番組の中から、受験者が誤答した学習試験問題番号のみに関する正解データおよび採点データが、選択されてなる選択補習番組が放送局側によって送信され、この送信された選択補習番組を蓄積する蓄積手段と、前記蓄積手段によって蓄積した前記学習試験問題包含番組、前記選択補習番組および前記採点データを提示する提示手段と、前記提示手段によって提示された前記学習試験問題包含番組の学習試験問題の解答を入力する入力手段と、前記学習試験問題を解答する受験者が入力した前記学習試験問題の解答に基づいて解答データを作成すると解答データ作成手段と、前記解答データ作成手段によって作成した前記解答データを送信する送信手段と、前記放送局側にて送信した前記学習試験問題包含番組の中から、受験者が任意に選択した学習試験問題を提示するように制御する学習試験番組提示制御機能および前記受験者が前記学習試験問題の解答に要する時間または着手している時間を制御する学習試験時間計測制御機能を有する制御手段と、を備えることを特徴とする。
【００１７】
かかる学習試験問題包含番組受信装置により、受験者側は放送局が送信した学習試験問題包含番組の学習試験問題を解答して入力した解答データを学習試験問題包含番組送信装置へ送信し、放送局側がこの解答データを基に採点した採点データに基づいて補習番組の中から受験者が誤答した部分の学習試験問題の正解データおよび解説データのみを選択して作成した選択補習番組を受験者に送信し、当該受信装置が受信する。
【００１８】
請求項６に記載の学習試験問題包含番組受信方法は、放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信方法であって、
前記放送局から送信された前記学習試験問題包含番組、前記補習番組および採点データを受信する受信ステップと、前記受信ステップによって受信した前記学習試験問題包含番組、前記補習番組および前記採点データを蓄積する蓄積ステップと、前記蓄積ステップによって蓄積した前記学習試験問題包含番組、前記補習番組および採点データを提示する提示ステップと、前記提示ステップによって提示した前記学習試験問題包含番組の学習試験問題の解答を入力する入力ステップと、前記学習試験問題を解答する受験者が入力した前記学習試験問題の解答に基づいて解答データを作成する解答データ作成ステップと、前記解答データ作成ステップによって作成した前記解答データを送信する送信ステップと、前記補習番組には学習試験問題番号に対応する識別子が付されており、放送局側にて前記解答データの正誤が採点された前記採点データに基づいて、前記蓄積手段に蓄積されている前記補習番組の中から、誤答した学習試験問題番号のみに関する正解データおよび解説データを選択して前記補習番組の提示を制御する制御ステップと、を有することを特徴とする。
【００１９】
かかる学習試験問題包含番組受信方法によれば、まず、受信ステップで学習試験問題包含番組を受信する。そして受験者が解答して入力した解答データを解答データ作成ステップで作成して学習試験問題包含番組送信装置へ送信する。続いて放送局側がこの解答データと正解データを参照して採点した採点データに基づいて補習番組の中から受験者が誤答した正解データと解説データを選択した補習番組を補習番組の提示を制御ステップによって制御する。
【００２０】
請求項７に係る学習試験問題包含番組受信プログラムは、放送局の番組内で学習試験問題を扱う学習試験問題包含番組と、当該学習試験問題を解答する受験者が入力した前記学習試験問題の解答に基づいて作成した解答データを送信後に、前記学習試験問題の正解である正解データおよび前記学習試験問題の正解を解説した解説データを少なくとも含む番組である補習番組と、前記解答データを採点した採点データとを前記放送局から受信する学習試験問題包含番組受信装置を、前記放送局から送信された前記学習試験問題包含番組、前記補習番組および採点データを受信する受信手段、前記受信手段によって受信した前記学習試験問題包含番組、前記補習番組および前記採点データを蓄積する蓄積手段、前記蓄積手段によって蓄積した前記学習試験問題包含番組、前記補習番組および採点データを提示する提示手段、前記提示手段によって提示した前記学習試験問題包含番組の学習試験問題の解答を入力する入力手段、前記学習試験問題を解答する受験者が入力した前記学習試験問題の解答である解答データを作成すると解答データ作成手段、前記解答データ作成手段によって作成した前記解答データを送信する送信手段、前記補習番組には学習試験問題番号に対応する識別子が付されており、放送局側にて前記解答データの正誤が採点された採点データに基づいて、前記蓄積手段に蓄積されている前記補習番組の中から、誤答した学習試験問題番号のみに関する正解データおよび解説データを選択して前記補習番組の提示を制御する補習番組提示制御機能を有する制御手段、として機能させることを特徴とする。
【００２１】
かかる学習試験問題包含番組受信プログラムによれば、学習試験問題包含番組受信装置としての機能を生じさせて、このプログラムの処理手順に従って実行させることによって、放送局が送信した学習試験問題包含番組の学習試験問題を受験者が解答して入力した解答データを送信し、当該学習試験問題に関する採点データ、補習番組を一括して学習試験問題包含番組送信装置から受信して蓄積手段に蓄積される。そして補習番組提示制御機能で受験者が誤答した学習試験問題の正解データおよび解説データのみを選択して提示される。
【００２２】
請求項８に係る学習試験問題包含番組送信装置は、放送局の番組内で学習試験問題を扱う学習試験問題包含番組を当該学習試験問題を解答する受験者が使用する端末に送信し、前記受験者が前記端末に入力した前記学習試験問題の解答に基づいて作成した解答データを受信した後に、前記学習試験問題の正解に基づいて作成した正解データおよび前記学習試験問題の正解を解説した解説データを包含してなる番組である補習番組を送信する学習試験問題包含番組送信装置であって、
前記学習試験問題包含番組と、前記補習番組と、前記解答データおよび正解データを比較して当該解答データの正誤を採点した採点データとを送信する送信手段と、この送信手段によって送信した前記学習試験問題包含番組の学習試験問題を解答する前記受験者が入力した前記解答データを受信する受信手段と、この受信手段によって受信した解答データと、前記学習試験問題の正解である正解データとを比較して、当該解答データの正誤を採点した採点データを得る採点データ作成手段と、この採点データ作成手段によって作成した前記採点データと、前記正解データおよび解説データからなる補習番組とを作成する補習番組作成手段と、を備えることを特徴とする。
【００２３】
かかる学習試験問題包含番組送信装置によって、放送局が送信した学習試験問題包含番組の学習試験問題を受験者が解答して入力した解答データを受信し、当該学習試験問題に関する採点データ、補習番組を一括して学習試験問題包含番組受信装置へ送信される。
【００２４】
請求項９に係る学習試験問題包含番組送信装置は、放送局の番組内で学習試験問題を扱う学習試験問題包含番組を当該学習試験問題を解答する受験者が使用する端末に送信する学習試験問題包含番組送信装置であって、前記学習試験問題包含番組の学習試験問題を解答する前記受験者が前記端末に入力した前記学習試験問題の解答に基づいて作成した解答データを受信する受信手段と、この受信手段によって受信した解答データおよび前記学習試験問題の正解である正解データを比較して、当該解答データの正誤を採点した採点データを作成する採点データ作成手段と、この採点データ作成手段にて作成した採点データに基づいて、前記学習試験問題の正解データおよび前記学習試験問題の正解を解説した解説データからなる補習番組の中から、前記受験者が誤答した学習試験問題の前記正解データおよび前記解説データを選択して作成する選択補習番組作成手段と、前記学習試験問題包含番組および前記選択補習番組作成手段によって作成した選択補習番組を送信する送信手段と、を備えることを特徴とする。
【００２５】
かかる学習試験問題包含番組送信装置によって、放送局が送信した学習試験問題包含番組の学習試験問題を受験者が解答して入力した解答データを受信して採点することにより採点データを得ることができるので、この採点データに基づいて補習番組の中から受験者が誤答した学習試験問題の正解データおよび解説データを選択して選択補習番組を作成して受験者側に送信される。
【００２６】
請求項１０に係る学習試験問題包含番組送信方法は、放送局の番組内で学習試験問題を扱う学習試験問題包含番組を当該学習試験問題を解答する受験者が使用する端末に送信し、前記受験者が前記端末に入力した前記学習試験問題の解答に基づいて作成した解答データを受信した後に、前記学習試験問題の正解である正解データおよび前記学習試験問題の正解を解説した解説データを包含してなる番組である補習番組を送信する学習試験問題包含番組送信方法であって、前記学習試験問題包含番組の学習試験問題を解答する前記受験者が入力した前記解答データを受信する受信ステップと、この受信手段によって受信した解答データおよび前記学習試験問題の正解である正解データを比較して、当該解答データの正誤を採点した採点データを作成する採点データ作成ステップと、この採点データ作成ステップによって作成した採点データと前記正解データおよび解説データからなる補習番組を作成する補習番組作成ステップと、前記学習試験問題包含番組と、前記補習番組作成ステップによって作成した前記補習番組と、前記採点データ作成ステップによって作成した前記採点データとを送信する送信ステップと、を有することを特徴とする。
【００２７】
かかる学習試験問題包含番組送信方法によれば、まず、受信ステップで解答データを受信する。そして、採点データ作成ステップでこの解答データと正解データを基に正誤を採点して採点データを作成する。続いて、この採点データと補習番組作成ステップで作成した学習試験問題の正解データおよび解説データからなる補習番組を学習試験問題包含番組受信装置に送信ステップによって送信する。
【００２８】
請求項１１に係る学習試験問題包含番組送信プログラムは、放送局の番組内で学習試験問題を扱う学習試験問題包含番組を当該学習試験問題を解答する受験者が使用する端末に送信し、前記受験者が前記端末に入力した前記学習試験問題の解答に基づいて作成した解答データを受信した後に、前記学習試験問題の正解である正解データおよび前記学習試験問題の正解を解説した解説データを包含してなる番組である補習番組を送信する学習試験問題包含番組送信装置を、前記学習試験問題包含番組と、前記補習番組と、前記解答データおよび正解データを比較して、当該解答データの正誤を採点した採点データとを送信する送信手段、前記学習試験問題包含番組の学習試験問題を解答する前記受験者が入力した前記解答データを受信する受信手段、この受信手段によって受信した解答データおよび前記学習試験問題の正解である正解データを比較して、当該解答データの正誤を採点した採点データを作成する採点データ作成手段、この採点データ作成手段によって作成した採点データと前記正解データおよび解説データからなる補習番組を作成する補習番組作成手段、として機能させることを特徴とする。
【００２９】
かかる学習試験問題包含番組送信プログラムによれば、学習試験問題包含番組送信装置としての機能を生じさせて、このプログラムの処理手順に従って実行させることによって、放送局が送信した学習試験問題包含番組の学習試験問題を受験者が解答して入力した解答データを受信し、当該学習試験問題に関する採点データ、補習番組を一括して学習試験問題包含番組受信装置へ送信される。
【００３０】
なお、「学習試験問題包含番組」は、学習試験問題データと試験制御プログラム（補習番組提示制御プログラム、試験番組提示制御プログラム、試験時間計測制御プログラム）から構成されている。
また、「補習番組」は、学習試験問題の正解データ、解説データおよび成績データから構成されており、この補習番組中の正解データと解説データには受験者の誤答した学習試験問題の正解データおよび解説データを選択できるようにするために、試験の問題番号を表す識別子が付与されており、学習試験問題包含番組受信装置の制御手段の構成要素である補習番組提示制御機能がその選択を制御する。
また、「解答データ作成」とは、学習試験問題に係る問題番号と解答値を対応させて一組とすることを意味する。
また、「学習試験問題の解答に要する時間」とは、問題作成者が設定した試験の解答制限時間を意味する。
また、「学習試験問題に着手している時間」とは、受験者が学習試験問題を解答している時間を意味し、受験者が任意に設定を変更できるものである。
また、「選択補習番組」とは、放送局側が「補習番組」の中から受験者が誤答した正解データおよび解説データを選択して作成した補習番組をいう。
【００３１】
【発明の実施の形態】
以下、本発明の実施の形態について図面を参照しながら説明する。
なお、「送信部」は特許請求の範囲に記載の「送信手段」に、「受信部」は「受信手段」に、「解答入力手段」は「入力手段」に、「解答データ作成部」は「解答データ作成手段」に、「蓄積部」は「蓄積手段」に、「提示部」は「提示手段」に、「制御部」は「制御手段」に、「補習番組提示制御部」は「補習番組提示制御機能」に、「学習試験番組提示制御部」は「学習試験番組提示制御機能」に、「学習試験時間計測制御部」は「学習試験時間計測制御機能」に、「採点データ作成部」は「採点データ作成手段」に、「補習番組作成部」は「補習番組作成手段」に、「選択補習番組作成部」は「選択補習番組作成手段」に相当するものである。
【００３２】
（学習試験問題包含番組送信システムの概要）
まず、学習試験問題包含番組送信システムの概念を説明する。
図１は、学習試験問題包含番組の提供サービス（学習試験問題包含番組送信システム）の概念図である。
本発明に係る学習試験問題包含番組の提供サービスを実現するための学習試験問題包含番組送信システムは、図１に示すように、学習試験問題包含番組受信装置１へ学習試験問題包含番組、補習番組および採点データを、放送網１７を介して送信する学習試験問題包含番組送信装置１０と、これら学習試験問題包含番組、補習番組および採点データを受信し、この学習試験問題包含番組送信システムの学習試験問題包含番組における解答データをインターネットなどの通信網１６を介して学習試験問題包含番組送信装置１０へ送信する学習試験問題包含番組受信装置１とから構成されている。
【００３３】
（学習試験問題包含番組受信装置について）
学習試験問題包含番組受信装置１には、学習試験問題包含番組の学習試験問題に係る補習番組を一括して学習試験問題包含番組送信装置１０ａから受信する学習試験問題包含番組受信装置１ａと、受験者が学習試験問題包含番組の学習試験問題の誤答した部分の正解データおよび解説データ（選択補習番組）を学習試験問題包含番組送信装置１０ｂから受信する学習試験問題包含番組受信装置１ｂとがある。
【００３４】
（第１の実施形態）
（学習試験問題包含番組受信装置の構成）
（学習試験問題包含番組受信モード）
はじめに図２を参照しながら第１の実施形態に係る学習試験問題包含番組受信モード（以下、試験モードという）における学習試験問題包含番組受信装置１ａについて説明する。
図２は、試験モードにおける試験番組包含番組受信装置１ａの構成要素を示すブロック図である。
試験モードの学習試験問題包含番組受信装置１ａは、送信部２、受信部３、解答入力部４、解答データ作成部５、蓄積部６、提示部７、試験番組提示制御部８ｂおよび試験時間計測制御部８ｃを備えている。
【００３５】
送信部２は、受験者が学習試験問題包含番組にかかる試験問題の解答をリモコンなどの解答入力部４を使用して入力し、解答データ作成部５によって作成した解答データを送信するものである。
【００３６】
受信部３は、学習試験問題包含番組送信装置１０ａから学習試験問題包含番組を受信するものである。学習試験問題包含番組は、学習試験問題データと試験制御プログラムからなり、試験制御プログラム８は図示していない試験番組提示制御プログラム、試験時間計測制御プログラム、補習番組提示制御プログラムから構成されている。これらプログラムは、各々試験番組提示制御部８ｂ、試験時間計測制御部８ｃ（図２を参照）、補習番組提示制御部８ａ（図３を参照）としての動作を生じさせるためのプログラムである。
試験番組提示制御部８ｂは、学習試験問題包含番組送信装置１０ａから送信された学習試験問題包含番組の試験問題の提示を制御するものであり、試験問題を受験者が選択して提示することができる。
試験時間計測制御部８ｃは、当該学習試験問題の受験者が解答に要する時間を制御するものである。問題作成者が設定した試験時間内に解答の入力、修正ができるが、受験者が任意に試験時間の設定を変更することもできる。
補習番組提示制御部８ａについては後述する。
【００３７】
解答入力部４は、受験者が当該試験問題の解答を入力するための入力装置である。例えば、リモコン、キーボード、ポインティング・デバイス、音声認識装置などである。
解答データ作成部５は、学習試験問題番号と受験者が当該学習試験問題を解答して入力した解答値を対応させて対として構成した解答データを作成するものである。なお、解答データには、受験者を特定するための番組受信装置ＩＤが付与されており、当該受信装置を特定することによって受験者を特定できるようにしている。
【００３８】
蓄積部６は、学習試験問題包含番組送信装置１０ａから受信部３によって受信した前記学習試験問題包含番組を蓄積する補助記憶装置である。例えば、ハードディスク、フレキシブルディスク、ＣＤ−ＲＷ、ＤＶＤ−ＲＷなどがある。
提示部７は、試験番組提示制御部８ｂおよび試験時間計測制御部８ｃの制御を受けながら学習試験問題包含番組を提示する提示装置である。例えば、ＣＲＴディスプレイ、液晶ディスプレイ、プラズマ・ディスプレイ等がある。
【００３９】
（補習番組受信モード）
次に図３を参照しながら第１の実施形態に係る補習番組受信モード（以下、補習モードという）における学習試験問題包含番組受信装置１ａについて説明する。
図３は、補習モードにおける試験番組包含番組受信装置１ａの構成要素を示すブロック図である。
補習モードにおける学習試験問題包含番組受信装置１ａは、受信部３、蓄積部６、提示部７、補習番組提示制御部８ａを備えている。
【００４０】
受信部３は、学習試験問題包含番組送信装置１０ａから採点データと補習番組を受信するものである。
蓄積部６は、学習試験問題包含番組送信装置１０ａから受信部３によって受信した前記採点データと補習番組を蓄積する補助記憶装置であり、試験モードの場合と同様の補助記憶装置からなるものである。
提示部７は、補習番組提示制御部８ａの制御を受けながら補習番組を提示する提示装置であり、試験モードの場合と同様の提示装置からなるものである。
【００４１】
補習番組提示制御部８ａは、補習番組の構成要素である正解データと解説データに学習試験問題番号に対応して付与されている識別子を用いて、受信部３によって受信した採点データに基づき、受験者が解答を誤った学習試験問題の正解データと解説データを選択した部分を提示するように提示部７を制御するものである。
なお、正解だった問題については、解答のみを提示させるように制御することもできる。また、全ての学習試験問題についての正解データと解説データを提示するように制御することもできる。
【００４２】
（学習試験問題包含番組送信装置について）
学習試験問題包含番組送信装置１０には、学習試験問題包含番組の学習試験問題に係る補習番組を一括して学習試験問題包含番組受信装置１ａへ送信する学習試験問題包含番組送信装置１０ａと受験者が学習試験問題包含番組の学習試験問題の誤答した部分の正解データと解説データ（選択補習番組）を学習試験問題包含番組受信装置１ｂへ送信する学習試験問題包含番組送信装置１０ｂとがある。
【００４３】
（学習試験問題包含番組送信装置の構成）
次に図４を参照しながら第１の実施形態に係る学習試験問題包含番組送信装置１０ａについて説明する。
図４は、学習試験問題包含番組送信装置１０ａの構成要素を示すブロック図である。
学習試験問題包含番組送信装置１０ａは、送信部１４、受信部１５、採点データ作成部１１、補習番組作成部１２を備えている。
【００４４】
送信部１４は、学習試験問題データと試験制御プログラム８（図２を参照）からなる学習試験問題包含番組と、正解データ、解説データおよび成績データからなる補習番組並びに採点データを学習試験問題包含番組受信手段１ａへ送信するものである。
なお、試験制御プログラム８については、学習試験問題包含番組受信装置１ａと同様であるので、その説明を省略する。
受信部１５は、前記した解答データを受信するものである。
【００４５】
採点データ作成部１１は、当該試験問題に係る解答データと正解データとを比較照合して正誤を判定することによって採点データを作成するものである。採点データは送信部１４によって学習問題包含番組受信装置１ａへ送信される。
【００４６】
補習番組作成部１２は、当該学習試験問題に係る正解データ、解説データおよび成績データからなる補習番組を作成するものである。補習番組中の学習試験問題の正解データおよび解説データには試験の問題番号を表す識別子が付与されており、受信側へ送信後において、学習試験問題包含番組受信装置１ａの補習番組提示制御部８ａ（図３を参照）によって、受験者が誤答した学習試験問題番号に対応する正解データと解説データの選択をして提示部７（図３を参照）への提示を可能とする。
【００４７】
（学習試験問題包含番組受信装置の動作）
次に学習試験問題包含番組受信装置１ａの動作について図５のフローチャートに従って説明する。
はじめに、学習試験問題包含番組受信装置１ａは受信部３によって試験番組包含番組を学習試験問題包含番組送信装置１０ａから受信し、蓄積部６に蓄積する（Ｓ１１）。
【００４８】
そして、学習試験問題提示制御機能８ｂによって学習試験問題を選択し、提示部７に提示させた学習試験問題の解答を例えばリモコンなどで入力する（Ｓ１２）。
図１０に試験番組包含番組の学習試験問題を提示した画面例を示す。図１０においては、試験の種類は「全国統一試験」であり、制限時間は「６０分」、経過時間は「１５分」、問題番号は「３」、問題文は「日本のペットで最も数が多いのは次のうちどれか。」、解答番号は「１、２、３、４」について、各々「犬、猫、鳥、ハムスター」であることを示している。そして、解答入力欄２１には「１」が選択されているので、この問題番号「３」の解答値は「１」（「犬」）であることを示している。次の問題に移るときは次問ボタン１９をキーボードやマウスなどの入力装置によって選択し、前の問題に戻りたいときには前問ボタン１８を前記同様に入力装置によって選択して実行することができる。学習試験問題が全問終了した場合や途中で終了させたいときには、終了ボタン２０を前記同様に入力装置によって選択して実行することができる。
【００４９】
試験時間計測制御機能８ｃによって、学習試験問題につき設定されている試験時間を制御する。試験時間が終了していれば、次のＳ１４の段階へ移行し、まだ試験時間が終了していなければ、再びＳ１２へ戻って、学習試験問題の解答を入力する（Ｓ１３）。
【００５０】
次に解答データ作成部５により、学習試験問題番号と解答値を対にした解答データを作成する。
解答データの形式例を図８に示す。図８においては、「１：２：−」は問題番号が「１」で、解答値は「２」、「２：３：−」は問題番号が「２」で、解答値は「３」、「３：１：−」は問題番号が「３」で、解答値は「１」であることを示している。
受験者を特定するために、解答データには学習試験問題包含番組受信装置１ａのＩＤを付与する（Ｓ１４）。
【００５１】
そしてこのＩＤが付与されている解答データを蓄積部６に蓄積する（Ｓ１５）。次に、蓄積部６に蓄積されているこの解答データを学習試験問題包含番組送信装置１０ａへ送信する（Ｓ１６）。そして、全学習試験問題数分の補習番組およびＩＤが付与されている採点データを受信部３によって受信して蓄積部６に蓄積する（Ｓ１７）。
【００５２】
そして、キーボードなどの入力装置を使用して手操作入力によって前記補習番組を再生待機させる（Ｓ１８）。補習番組提示制御機能８ａによって、蓄積部６に蓄積されている採点データの正誤情報を基に、受験者が誤答した（Ｓ１９、ＹＥＳ）場合には次のＳ２０へ移行し、誤答した学習試験問題にかかる補習番組を再生する（Ｓ２０）。不正解でない場合（Ｓ１９、ＮＯ）は、前のＳ１８の段階に戻り補習番組の再生を待機する（Ｓ１８）。補習番組が終了するまで補習番組は再生される（Ｓ２１）。
【００５３】
（学習試験問題包含番組送信装置の動作）
続いて、学習試験問題包含番組送信装置１０ａの動作について図６のフローチャートに従って説明する。
まず、学習試験問題包含番組送信装置１０ａは送信部１４によって学習試験問題包含番組を学習試験問題包含番組受信装置１ａの受信部３に送信する（Ｓ３１）。
次にこの学習試験問題包含番組の学習試験問題について受験者が解答して入力した解答データを受信部１５によって受信する（Ｓ３２）。
【００５４】
採点データ作成部１１は、問題番号と解答値が対になっている解答データと正解データとの照合を実行して採点データを作成する。採点データには受験者を特定して採点データを送信可能とするために、学習試験問題包含番組受信装置１ａのＩＤを付与する（Ｓ３３）。
図９に採点データの形式例を示す。図９においては、「１：２：０」は問題番号が「１」で解答値が「２」、正誤は例えば、「０」が「不正解」で「１」が「正解」と定義した場合は、「不正解」を意味し、「２：３：１」は問題番号が「２」で解答値が「３」、正誤は「正解」、「３：１：１」は問題番号が「３」で解答値が「１」、正誤は「正解」であることを示している。
【００５５】
そして、補習番組作成部１５で作成された補習番組を送信手段１４によって、学習試験問題に関する全ての正解データと解説データを一括して学習試験問題包含番組受信装置１の受信手段３へ送信する。その際、前記ＩＤが付与されている採点データも送信する（Ｓ３４）。放送局は、受験者が解答して入力した解答データを集計した結果を利用して統計情報（平均点や順位、誤答率の高い問題など）を得る（Ｓ３５）。
【００５６】
（第２の実施形態）
以下に第２の実施形態について説明する。この実施形態は、第１の実施形態に係る構成要素の一部を変更したものであるので、第１の実施形態と同様の構成要素については、同一の符号を付してその説明を省略する。
（学習試験問題包含番組受信装置の構成）
まず、図７を参照しながら学習試験問題包含番組受信装置１ｂについて説明する。
図７は、学習試験問題包含番組受信装置１ｂと学習試験問題包含番組送信装置１０ｂの構成要素を示すブロック図である。
学習試験問題包含番組受信装置１ｂは、送信部２、受信部３、解答入力部４、解答データ作成部５、蓄積部６、提示部７、制御部８の構成要素である試験番組提示制御部８ｂおよび試験時間計測制御部８ｃを備えている。
【００５７】
送信部２、受信部３、解答入力部４、解答データ作成部５および提示部７、試験番組提示制御部８ｂおよび試験時間計測制御部８ｃについては、第１の実施形態に係る学習試験問題包含番組受信装置１ａ（図２、図３を参照）の構成要素と同様である。
蓄積部６については、補習番組に代替して選択補習番組が蓄積されることを除き、学習試験問題包含番組受信装置１ａの蓄積部６と同様である。
【００５８】
制御部８について、第２の実施形態に係る補習番組は放送局側より補習番組提示制御部８ａに相当する役割を選択補習番組作成部１３によって実行するため補習番組提示制御部８ａを制御部８の構成要素としていない。つまり、放送局側において選択補習番組作成部１３によって、採点データに基づいて、受験者が当該学習試験問題につき誤答した正解データおよび解説データを補習番組の中から選択して選択補習番組を作成する。そしてその選択補習番組を受信部３によって受信して提示部７によって提示するのである。
【００５９】
（学習試験問題包含番組送信装置の構成）
続いて、図７を参照しながら学習試験問題包含番組送信装置１０ｂについて説明する。
学習試験問題包含番組送信装置１０ｂは図７に示すように、送信部１４、受信部１５、採点データ作成部１１、選択補習番組作成部１３を備えている。
送信部１４、受信部１５、採点データ作成部１１は、第１の実施形態に係る学習試験問題包含番組送信装置１０ａと同様であるためその説明を省略する。
【００６０】
選択補習番組作成部１３について、補習番組中の学習試験問題の正解データおよび解説データには試験の問題番号を表す識別子が付与されており、解答データを基に採点した採点データに基づいて、補習番組の中から、受験者が誤答した学習試験問題番号のみに対応する正解データおよび解説データを選択して提示部７への提示を可能とするものである。
【００６１】
（学習試験問題包含番組受信装置の動作）
次に学習試験問題包含番組受信装置１ｂの動作について図１１のフローチャートに従って説明する。
はじめに、学習試験問題包含番組受信装置１ｂは受信手段３によって学習試験問題包含番組を学習試験問題包含番組送信装置１０ｂから受信する（Ｓ４１）。
【００６２】
そして、学習試験問題提示制御部８ｂによって学習試験問題を選択し、提示部７に提示させた学習試験問題の解答を例えばリモコンなどで入力する（Ｓ４２）。
なお、図１０に示す試験番組包含番組の学習試験問題を提示した画面例については、第１の実施形態に係る学習試験問題包含番組受信装置１ａの動作で説明した内容と同様なのでその説明を省略する。
【００６３】
学習試験時間計測制御部８ｃによって、学習試験問題につき設定されている試験時間を制御する。試験時間が終了していれば（Ｓ４３、ＹＥＳ）、次のＳ４４の段階へ移行し、まだ試験時間が終了していなければ（Ｓ４３、ＮＯ）、再びＳ４２へ戻って、学習試験問題の解答を入力する（Ｓ４３）。
【００６４】
次のＳ４４では解答データ作部５により、学習試験問題番号と解答値を対にした解答データを作成する。
なお、図８に示す解答データの形式例については、第１の実施形態に係る学習試験問題包含番組受信装置１ａの動作で説明した内容と同様なので、その説明を省略する。
受験者を特定するために、解答データには学習試験問題包含番組受信装置１ｂのＩＤを付与する（Ｓ４４）。そしてこのＩＤが付与されている解答データを送信手段１４によって、学習試験問題包含番組送信装置１０ｂへ送信する（Ｓ４５）。
【００６５】
次に、学習試験問題包含番組配信装置１０ｂの構成要素である選択補習番組作成部１３によって選択された受験者が誤答した学習試験問題に対応する正解データと解説データからなる選択補習番組を受信部１５により受信し、その際ＩＤが付与されている採点データを受信する（Ｓ４６）。そして、キーボードなどの入力装置を使用した手操作入力により前記選択補習番組を再生する（Ｓ４７）。補習番組が終了するまで選択補習番組は再生される（Ｓ４８）。
【００６６】
（学習試験問題包含番組送信装置の動作）
続いて、学習試験問題包含番組送信装置１０ｂの動作について図１２のフローチャートに従って説明する。
まず、学習試験問題包含番組送信装置１０ｂは学習試験問題包含番組を送信部１４によって、学習試験問題包含番組受信装置１ｂの受信部３に送信する（Ｓ５１）。次にこの学習試験問題包含番組の学習試験問題について受験者が解答して入力した解答データを受信部１５によって受信する（Ｓ５２）。
【００６７】
採点データ作成部１１は、問題番号と解答値が対になっている解答データと正解データとの照合を実行して正誤を判断し、採点データを作成する。採点データには受験者を特定して採点データを送信するために、学習試験問題包含番組受信装置１ｂのＩＤを付与する（Ｓ５３）。
なお、図９に示す採点データの形式例については、第１の実施形態に係る学習試験問題包含番組送信装置１０ａの動作の説明で述べた内容と同様なので、その説明を省略する。
【００６８】
そして、この採点データに基づいて、選択補習番組作成部１３によって、受験者が誤答した学習試験問題に対応する正解データと解説データを選択して学習試験問題包含番組受信装置１ｂへ送信する。その際、前記ＩＤが付与されている採点データも送信する（Ｓ５４）。放送局は、受験者が解答して入力した解答データを集計した結果を利用して統計情報（平均点や順位、誤答率の高い問題など）を得る（Ｓ５５）。
【００６９】
以上、本発明の実施の形態について説明したが、本発明は、前記した実施の形態に限定されることなく、様々な形態で実施可能である。
また、学習試験問題包含番組送信装置１０（１０ａ、１０ｂ）および学習試験問題包含番組受信装置１（１ａ、１ｂ）で用いられる学習試験問題包含番組送信方法および学習試験問題包含番組受信方法と、このような学習試験問題包含番組送信方法および学習試験問題包含番組受信方法を学習試験問題包含番組送信装置１０（１０ａ、１０ｂ）および学習試験問題包含番組受信装置１（１ａ、１ｂ）に実現させる学習試験問題包含番組送信プログラムおよび学習試験問題包含番組受信プログラムも本発明の対象とするものである。
【００７０】
なお、学習試験問題包含番組送信装置１０（１０ａ、１０ｂ）は、映像、音声を伴わないテキストレベルの学習試験問題包含番組または補習番組の場合には、携帯情報端末などの携帯型の受信機とすることもできる。
また、学習試験問題包含番組送信装置１０（１０ａ、１０ｂ）にいわゆる限定受信方式に係る機能を備え、例えば、受験番号を入力して認証できた場合にのみ、学習試験問題包含番組および補習番組を受信可能とさせることもできる。
さらにまた、解答データの形式は、択一式の試験を想定して説明したが、択一式に限定されず記述式による解答データの形式とすることも可能である。この場合は、ハードウェアまたはソフトウェア方式によるキーボードなどの入力装置によって文字入力を行う。
【００７１】
【発明の効果】
以上説明したように、本発明によれば以下の効果を奏する。
請求項１、２、４記載の発明によれば、学習試験問題包含番組の学習試験問題に係る採点データに基づいて、補習番組の中から受験者が誤答した学習試験問題に対応する解答データおよび解説データを自動的に選択して送信する手法によって、受験者が既に習得済みの正答部分に対応する補習番組を省略して効率的に学習を進めることができる。
また、受験者が誤答した学習試験問題に対応する解答データおよび解説データを送信することによって、効率的なデータ伝送を実現することができる。
さらに、受験者の解答データを回収して採点データの統計をとることによって、受験者の学習上の弱点や誤答率の高い問題を把握し、マーケティングのデータとして活用することができるので、今後のより良い教育番組や重点を絞った補習番組の制作をすることができる。
【００７２】
請求項３記載の発明によれば、学習試験問題包含番組の全ての学習試験問題に対応する解答データおよび解説データを受験者側に送信することによって、放送局側から受信した補習番組の中から学習試験問題包含番組の学習試験問題に係る採点データに基づいて、受験者が誤答した学習試験問題に対応する解答データおよび解説データを自動的に選択して視聴することができる。そのため受験者が既に習得済みの正答部分に対応する補習番組を省略して受験者の学習労力を軽減し、効率的に学習を進めることができる。
また、受験者の解答データを回収して採点データの統計をとることによって、受験者の学習上の弱点や誤答率の高い問題を把握し、マーケティングのデータとして活用することができるので、今後のより良い教育番組や重点を絞った補習番組の制作をすることができる。
【００７３】
請求項５、６、８記載の発明によれば、学習試験問題包含番組の学習試験問題に係る採点データに基づいて、補習番組の中から受験者が誤答した学習試験問題に対応する解答データおよび解説データを自動的に選択して受信する手法によって、受験者が既に習得済みの正答部分に対応する補習番組を省略して受験者の学習労力を軽減し、効率的に学習を進めることができる。
また、受験者が誤答した学習試験問題に対応する解答データおよび解説データを受信することによって、効率的な記憶装置の活用を実現することができる。
【００７４】
請求項７記載の発明によれば、学習試験問題包含番組の学習試験問題に係る採点データに基づいて、放送局側から受信した補習番組の中から受験者が誤答した学習試験問題に対応する解答データおよび解説データを自動的に選択して提示する手法によって、受験者が既に習得済みの正答部分に対応する補習番組を省略して受験者の学習労力を軽減し、効率的に学習を進めることができる。
また、学習試験問題包含番組の全ての学習試験問題に対応する解答データおよび解説データを受信する手法によって、誤答した学習試験問題に対応する解答データおよび解説データだけでなく、正解した学習試験問題に対応する解答データおよび解説データについても受験者は参照することができる。
【図面の簡単な説明】
【図１】本発明に係る学習試験問題包含番組の提供サービスの概念図である。
【図２】第１の実施形態に係る試験モードにおける試験番組包含番組受信装置１ａの構成要素を示すブロック図である。
【図３】第１の実施形態に係る補習モードにおける試験番組包含番組受信装置１ａの構成要素を示すブロック図である。
【図４】第１の実施形態に係る学習試験問題包含番組送信装置１０ａの構成要素を示すブロック図である。
【図５】第１の実施形態に係る学習試験問題包含番組受信装置１ａの動作を示すフローチャートである。
【図６】第１の実施形態に係る学習試験問題包含番組送信装置１０ａの動作を示すフローチャートである。
【図７】第２の実施形態に係る学習試験問題包含番組受信装置１ｂと学習試験問題包含番組送信装置１０ｂの構成要素を示すブロック図である。
【図８】解答データのデータ形式例を示す図である。
【図９】採点データのデータ形式例を示す図である。
【図１０】本実施の形態に係る学習試験問題包含番組の学習試験問題を学習試験問題包含番組受信装置１（１ａ、１ｂ）の提示手段７によって提示した学習試験問題提示の画面例を示す図である。
【図１１】第２の実施形態に係る学習試験問題包含番組受信装置１ｂの動作を示すフローチャートである。
【図１２】第２の実施形態に係る学習試験問題包含番組送信装置１０ｂの動作を示すフローチャートである。
【符号の説明】
１、１ａ、１ｂ        学習試験問題包含番組受信装置
２、１４              送信部（送信手段）
３、１５              受信部（受信手段）
４                    解答入力部（入力手段）
５                    解答データ作成部（解答データ作成手段）
６                    蓄積部（蓄積手段）
７                    提示部（提示手段）
８                    制御部（制御手段）、試験制御プログラム
８ａ                  補習番組提示制御部（補習番組提示制御機能）
８ｂ                  学習試験番組提示制御部（学習試験番組提示制御機能）
８ｃ                  学習試験時間計測制御部（学習試験時間計測制御機能）
１０、１０ａ、１０ｂ  学習試験問題包含番組送信装置
１１                  採点データ作成部（採点データ作成手段）
１２                  補習番組作成部（補習番組作成手段）
１３                  選択補習番組作成部（選択補習番組作成手段）
１６                  通信網
１７                  放送網
【図１】
2004163794.tif 000003
【図２】
2004163794.tif 000004
【図３】
2004163794.tif 000005
【図４】
2004163794.tif 000006
【図５】
2004163794.tif 000007
【図６】
2004163794.tif 000008
【図７】
2004163794.tif 000009
【図８】
2004163794.tif 000010
【図９】
2004163794.tif 000011
【図１０】
2004163794.tif 000012
【図１１】
2004163794.tif 000013
【図１２】
2004163794.tif 000014